【手続補正書】
【提出日】平成15年9月5日(2003.9.5)
【手続補正１】
【補正対象書類名】明細書
【補正対象項目名】全文
【補正方法】変更
【補正の内容】
【発明の名称】昇降式収納装置
【特許請求の範囲】
【請求項１】収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とからなる昇降式収納装置。
【請求項２】収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とからなり、前記連動機構は扉体裏面に設けたレール部材と、前記レール部材に慴動自在に係合するとともにラック体に回動自在に設けたスライダーとで構成してなる昇降式収納装置。
【請求項３】収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とからなり、前記連動機構は扉体裏面またはラック体のいずれか一方に設けられたレール部材と、このレール部材を摺動する扉体裏面またはラック体のいずれか一方に設けられたスライダーとで構成してなる昇降式収納装置。
【請求項４】ラック体の上昇もしくは下降を助成する駆動手段を設けた請求項１ないし３のいずれか１項記載の昇降式収納装置。
【請求項５】ラック体を駆動させる電動駆動手段を設けた請求項１ないし３のいずれか１項記載の昇降式収納装置。
【請求項６】扉体はラック体の昇降動作に連動して上方へ開放するようにした請求項１ないし３のいずれか１項記載の昇降式収納装置。
【請求項７】扉体はラック体の昇降動作に連動して左右に開放するようにした請求項１ないし３のいずれか１項記載の昇降式収納装置。
【請求項８】扉体はラック体の昇降動作に連動して少なくとも左右いずれか一方へ開放するようにした請求項１ないし３のいずれか１項記載の昇降式収納装置。
【請求項９】ラック体の降下操作は、扉体の閉成状態で、収納キャビネットの外部前方から操作可能な構成とした請求項１ないし８のいずれか１項記載の昇降式収納装置。
【請求項１０】ラック体下部前面に化粧パネルを設け、収納キャビネット内にラック体を収納した時、ラック体前面が扉体と化粧パネルによって覆われる請求項１ないし３のいずれか１項記載の昇降式収納装置。
【請求項１１】ラック体前面の化粧パネルに把手を設けた請求項９記載の昇降式収納装置。
【発明の詳細な説明】
【０００１】
【発明の属する技術分野】
本発明は、上下動できる部分を有する家具、詳しくは高所への収納物品の出し入れを容易とする昇降式収納装置に関するものである。
【０００２】
【従来の技術】
従来この種の昇降式収納装置は、特開平７−１４８０３１号公報に記載されているようなものが一般的であった。この装置は図７に示されているように、左右に開閉自在の扉１、２の付いたキャビネット３に昇降支持装置４を装着し、昇降支持装置４によってラック体５が出し入れ昇降するように構成されており、使用時は、この扉１、２を開いた後にラック体５の引出し降下を行い、収納時は、ラック体５をキャビネット３に収納した後に扉１、２を閉成するようになっていた。
【０００３】
【発明が解決しようとする課題】
しかしながら、従来の昇降式収納装置では扉１、２の開閉動作とラック体５の出し入れ昇降動作が別動作であるため、使用時は、収納キャビネット前面の扉１、２を開いた後、キャビネット内のラック体５を引出し降下させ、ラック体内に収められた収納物品を取り出すという作業となり、(1)扉を開く、(2)ラック体を引出し降下させるという２つの動作によって初めてラック体内の物品の取り出しが可能となり、収納時においても、ラック体をキャビネット内に収納した後にキャビネット前面の扉を閉めるという作業となり、(1)ラック体を収納する、(2)扉を閉めるという２つの動作を要するという課題を有していた。
【０００４】
さらに開成時に扉の開放角度がキャビネットに対して９０°以上になり、側方のキャビネットの扉の開閉動作の障害になる事があった。
【０００５】
また、これにより昇降収納装置の扉はもとより、側方のキャビネットの扉をも損傷させる可能性があった。
【０００６】
【課題を解決するための手段】
本発明は上記課題を解決するために、収納キャビネットと、収納キャビネット内に設けたラック体と、ラック体を出し入れ昇降自在に支持する昇降支持装置と、前記収納キャビネットに設けた扉体と、この扉体とラック体を連動させ、ラック体の収納キャビネットからの出し入れ昇降によって扉体を開閉させる連動機構とを備えた構成としてある。
【０００７】
また、連動機構は扉体裏面に設けたレール部材と、前記レール部材に慴動自在に係合するとともにラック体に回動自在に設けたスライダーとで構成、あるいは扉体裏面またはラック体のいずれか一方に設けられたレール部材と、このレール部材を摺動する扉体裏面またはラック体のいずれか一方に設けられたスライダーとで構成したものである。
【０００８】
上記発明によれば、扉体の開閉動作とラック体の昇降動作を連動機構により連動させるため、ラック体の降下と収納をいずれも１動作で行うことができる。
【０００９】
また、扉体が上方へ開放する機構とした場合のみでなく、扉体が左右、あるいは左右いずれかへ開放する機構においても、扉体裏面に設けられたレール部材と、ラック体に設けられたスライダーの係合により、扉体がラック体より一定の距離以上離れないので、ラック体降下時における扉体の開放角度が規制され、側方キャビネットの扉の損傷を防止するとともに、側方のキャビネットの扉の開閉動作を妨げることなく、台所作業全体の流れが良好なものとなる。
【００１０】
【発明の実施の形態】
本発明は、収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とを有するものであり、扉体の開閉が、ラック体の収納キャビネットからの出し入れ昇降に連動するため、ラック体の降下と収納をいずれも１動作で行うことができる。
【００１１】
また、収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とからなり、前記連動機構は扉体裏面に設けたレール部材と、前記レール部材に慴動自在に係合するとともにラック体に回動自在に設けたスライダーとで構成したものである。
【００１２】
このような構成により、扉体を上方へ開放させる場合においては、ラック体の降下停止時にスライダーによって扉体とラック体との間に一定の距離を確保できるためラック体上部からの収納物の取り出しを容易にすることができる。また、扉体を左右または左右いずれか一方に開放させる場合においては、扉体がラック体より一定の距離以上離れないので、ラック体降下時における扉体の開放角度が規制され、双方の扉の損傷を防止するとともに、側方のキャビネットの扉の開閉動作を妨げることなく、台所作業全体の流れが良好なものとなる。
【００１３】
また、収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構とからなり、前記連動機構は扉体裏面またはラック体のいずれか一方に設けられたレール部材と、このレール部材を摺動する扉体裏面またはラック体のいずれか一方に設けられたスライダーとで構成してあり、このような構成により、連動機構が単純化され、より安価に昇降支持装置を提供することができる。
【００１４】
また、ラック体の上昇もしくは下降を助成する駆動手段を設けた構成としてあり、このような構成により、力の弱い高齢者でも容易に利用することができる。
【００１５】
また、ラック体を駆動させる電動駆動手段を設けた構成としてあり、このような構成により、従来収納が不可能であった重量物の収納も可能となることに加え、人の手の届かない高所への設置が可能となる。
【００１６】
また、扉体はラック体の昇降動作に連動して上方へ開放するようにしたものであり、このような構成により、収納キャビネット上部前方に照明器具などの突起物が設置されている場合においても、扉の開閉が可能となり収納物を取り出すことができる。
【００１７】
また、扉体はラック体の昇降動作に連動して左右に開放するようにしたものであり、このような構成により、縦長の扉体を取り付けた場合でも開閉時における扉の回動軌跡を小さくすることができる。
【００１８】
さらに、扉体はラック体の昇降動作に連動して少なくとも左右いずれか一方へ開放する機構としたものであり、このような構成により、間口の狭い収納キャビネットにも展開することができる。
【００１９】
さらに、収納キャビネット内にラック体を収納した時、ラック体前面が扉体と化粧パネルによって覆われるようにしたものであり、このような構成により、従来の収納キャビネットと外観上の差別化ができ、収納状態にあっても昇降式収納装置であることを使用者に認知させ、収納物の内容を解りやすくすることができる。なお、化粧パネルをラック体下部に位置させると、収納物品の落下防止機能を果たすことも可能になる。
【００２０】
さらに、ラック体前面の化粧パネルに把手を設けた機構としたものであり、このような構成により、ラック体の露出を防いで美観を保ちながら、ラック体を稼働させるための把手を収納キャビネット外に出すことができる。また、収納キャビネット正面の、扉による分割線が横方向にあらわれるため美観を向上させることができる。
【００２１】
以下、本発明の実施例について図面を用いて説明する。
【００２２】
（実施例１）
図１は本発明の実施例１の昇降式収納装置の開成状態の外観斜視図である。また図２は実施例１の昇降式収納装置の要部断面図である。
【００２３】
図において、６はキッチン等の壁面上部に設置された収納キャビネットで、収納キャビネット６の庫内両側面には平行リンク７ａ，７ｂと、この平行リンク７ａ，７ｂを支持する筺体８ａ，８ｂからなる昇降支持装置９が設置されている。そしてこの昇降支持装置の筐体８ａ、８ｂ内には後述するラック体の出し入れを助成する付勢手段等の駆動手段（図示せず）が設けてある。
【００２４】
平行リンク７ａ，７ｂの遊端部には収納物を収納するラック体１０が連結されている。ラック体１０前面下部には化粧パネル１１が固定され、化粧パネル１１には把手１２が固定されている。
【００２５】
１３は扉で収納キャビネット６上辺に開閉自在に取り付けられ、扉１３の裏にはレール１４ａ，１４ｂが固定されている。
【００２６】
扉１３とラック体１０はレール１４ａ，１４ｂに慴動自在に係合するとともにラック体１０に回転自在に設けたスライダー１５ａ，１５ｂ（連動機構）によって連結されている。
【００２７】
次に動作、作用について説明すると、把手１２を持って手前に引くと収納キャビネット６に設置された昇降支持装置９の平行リンク７ａ，７ｂが回動し、ラック体１０が降下する。ラック体１０に回動自在に設けられたスライダー１５ａ，１５ｂがその框支部ａを中心に回動してラック体１０の降下とともにその扉側端部がレール１４ａ，１４ｂを慴動しながら扉１３を上方へ押し上げて開成させる。また、収納時は把手１２を持って上方へ押し上げると、昇降支持装置９の平行リンク７ａ，７ｂが上昇方向に回動するとともにラック体１０が上昇し、ラック体１０の上昇とともにスライダー１５ａ，１５ｂがレール１４ａ，１４ｂを慴動しながら扉１３を閉成させる。この時筐体８ａ、８ｂ内に設けてある駆動手段の付勢力でラック体１０は軽く上昇させることができる。
【００２８】
（実施例２）
図３は本発明の実施例２の昇降式収納装置の開成状態を示す外観斜視図である。
【００２９】
実施例１と異なる点は、扉１３を扉１６、１７にし、扉１６、１７が左右に開閉するものである。また、レール１４ａ，１４ｂをレール１８ａ，１８ｂに、スライダー１５ａ，１５ｂをスライダー１９ａ，１９ｂにし、スライダー１９ａ，１９ｂのラック体側にスライダー１９ａ，１９ｂを水平に回動自在に支持する基部２０ａ，２０ｂを設け、スライダー１９ａ，１９ｂがレール１８ａ，１８ｂを慴動しながら扉１６、１７を開閉させる。
【００３０】
なお実施例１と同一符号のものは同一構造を有し、説明は省略する。
【００３１】
次に動作、作用について説明すると、把手１２を持って手前に引くと収納キャビネット６に設置された昇降支持装置９の平行リンク７ａ，７ｂが回動し、ラック体１０が降下する。ラック体１０の降下とともにラック体１０に固定された基部２０ａ，２０ｂに水平方向に回動自在に設けられたスライダー１９ａ，１９ｂがレール１８ａ，１８ｂを慴動しながら扉１６、１７を押して左右に開成させる。また、収納時は把手１２を持って上方へ押し上げると、昇降支持装置９の平行リンク７ａ，７ｂが上昇方向に回動するとともにラック体１０が上昇し、ラック体１０の上昇とともにスライダー１９ａ，１９ｂがレール１８ａ，１８ｂを慴動しながら扉１６、１７を閉成させるようになっている。
【００３２】
（実施例３）
図４は本発明の実施例３の昇降式収納装置の開成状態を示す外観斜視図である。
【００３３】
実施例１と異なる点は、扉１３を扉２１にし、扉２１が左右いずれか一方に開閉するものである。また、レール１４ａ，１４ｂをレール２２に、スライダー１５ａ，１５ｂをスライダー２３に、基部２０ａ，２０ｂを基部２４にし、スライダー２３がレール２２を慴動しながら扉２１を開閉させる。
【００３４】
なお実施例１と同一符号のものは同一構造を有し、説明は省略する。
【００３５】
次に動作、作用について説明すると、把手１２を持って手前に引くと収納キャビネット６に設置された昇降支持装置９の平行リンク７ａ，７ｂが回動し、ラック体１０が降下する。ラック体１０の降下とともに、ラック体１０に固定された基部２４に水平方向に回動自在に設けられたスライダー２３がラック体１０の降下とともにレール２２を慴動しながら扉２１を押して開成させる。また、収納時は把手１２を持って上方へ押し上げると、昇降支持装置９の平行リンク７ａ，７ｂが上昇方向に回動するとともにラック体１０が上昇し、ラック体１０の上昇とともにスライダー２３がレール２２を慴動しながら扉２１を閉成させるようになっている。
【００３６】
（実施例４）
図５は本発明の実施例４の昇降式収納装置の開成状態を示す外観斜視図である。
【００３７】
また図６は実施例４の昇降式収納装置の要部断面図である。
【００３８】
実施例１と異なる点は、レール１４ａ，１４ｂをレール２５ａ，２５ｂにし、スライダー１５ａ，１５ｂをスライダー２６ａ，２６ｂにし、スライダー２６ａ，２６ｂは収納状態においてレール２５ａ，２５ｂと係合することなくラック体１０を所定距離移動させた後、レール２５ａ，２５ｂに当接し、レール２５ａ，２５ｂを慴動するものである。
【００３９】
なお実施例１と同一符号のものは同一構造を有し、説明は省略する。
【００４０】
次に動作、作用について説明すると、把手１２を持って手前に引くと収納キャビネット６に設置された昇降支持装置９の平行リンク７ａ，７ｂが回動し、ラック体１０が降下する。ラック体１０が降下したとき、ラック体１０に設けられたスライダー２６ａ，２６ｂがラック体１０の降下とともに、扉１３の裏面に設けられたレール２５ａ，２５ｂに当接した後、レール２５ａ，２５ｂを慴動しながら扉１３を押して開成させる。
【００４１】
また、収納時は把手１２を持って上方へ押し上げると、昇降支持装置９の平行リンク７ａ，７ｂが上昇方向に回動するとともにラック体１０が上昇し、ラック体１０に設けられたスライダー２６ａ，２６ｂがラック体１０の上昇とともに、扉１３の裏面に設けられたレール２５ａ，２５ｂを慴動し、扉１３はその自重によってスライダー２６ａ，２６ｂの移動とともに閉成するようになっている。
【００４２】
なお、上記実施例では、スライダー２６ａ，２６ｂとレール２５ａ，２５ｂはラック体１０の収納時においては係合せず、ラック体１０が所定距離の下降移動を行った後スライダー２６ａ，２６ｂとレール２５ａ，２５ｂが当接し、スライダー２６ａ，２６ｂがレール２５ａ，２５ｂを摺動して開成する構造としたが、スライダー２６ａ，２６ｂとレール２５ａ２５ｂはあらかじめ係合されていても構わない。
【００４３】
また、スライダー２６ａ，２６ｂはラック体１０に、レール２５ａ、２５ｂは扉１３の裏面に取り付ける構成としたが、スライダー２６ａ，２６ｂを扉１３に、レール２５ａ、２５ｂをラック体１０に取り付けても構わないし、レール２５ａ、２５ｂをなくしてスライダー２６ａ、２６ｂが直接扉裏面に接するようにしてもよい。
【００４４】
なお、上記各実施例ではラック体１０の昇降を手動による昇降としたが、これに限定されるものでなく、電動モーターなどを利用した自動昇降式収納装置としても本発明の目的を達成することができる。
【００４５】
実施例１で説明した附勢手段を利用した場合には、力の弱い高齢者などにとって使い勝手が向上するのはもちろんのこと、電動モーターなどを利用した自動昇降式収納装置の場合には人手を全くわずらわせることなく昇降可能となるので、従来収納が不可能であった重量物の収納も可能となることに加え、人の手の届かない高所への設置にも有効なものとなるものである。
【００４６】
【発明の効果】
以上のように本発明は、収納キャビネットと、収納キャビネット内に設けたラック体と、ラック体を出し入れ昇降自在に支持する昇降支持装置と、前記収納キャビネットに設けた扉体と、この扉体とラック体を連動させラック体の収納キャビネットからの出し入れ昇降によって扉体を開閉させる連動機構を設けているので、ラック体の降下と収納をいずれも１動作で行うことができる。
【００４７】
また、扉体が上方へ開放する機構とした場合のみでなく、扉体が左右、あるいは左右いずれかへ開放する機構においても、扉体裏面に設けられたレール部材と、ラック体に設けられたスライダーの係合により、扉体がラック体より一定の距離以上離れないので、ラック体降下時における扉体の開放角度が規制され、側方キャビネットの扉の損傷を防止するとともに、側方のキャビネットの扉の開閉動作を妨げることなく、台所作業全体の流れが良好なものとなる。
【００４８】
また、前記連動機構を扉体裏面に設けたレール部材と、前記レール部材に慴動自在に係合するとともにラック体に回動自在に設けたスライダーとで構成することにより、扉体を上方へ開放させる場合において、ラック体の降下停止時にスライダーによって扉体とラック体との間に一定の距離を確保できるためラック体上部からの収納物の取り出しを容易にすることができる。
【００４９】
また、前記連動機構を扉体裏面またはラック体のいずれか一方に設けられたレール部材と、このレール部材を摺動する扉体裏面またはラック体のいずれか一方に設けられたスライダーとで構成することにより、連動機構が単純化され、より安価に昇降支持装置を提供することができる。
【００５０】
また、ラック体の上昇もしくは下降を助成する駆動手段を設けることにより、力の弱い高齢者でも容易に利用することができる。
【００５１】
また、ラック体を駆動する電動駆動手段を設けることにより、従来収納が不可能であった重量物の収納も可能となることに加え、人の手の届かない高所への設置が可能となる。
【００５２】
また、扉体をラック体の昇降動作に連動して上方へ開放する機構とすることにより、収納キャビネット正面の、扉体による分割線が横方向にあらわれるため美観を向上させることができる。
【００５３】
また、扉体をラック体の昇降動作に連動して左右に開放する構成にすることにより、縦長の収納キャビネットでも扉の開成時の収納キャビネットからの突出を抑えることができる。
【００５４】
また、扉体をラック体の昇降動作に連動して少なくとも左右いずれか一方へ開放する構成にすることにより、間口の狭い収納キャビネットにも展開することができる。
【００５５】
また、キャビネット内にラック体を収納した時、ラック体前面が扉体と化粧パネルによって覆われる構成にすることにより、従来の収納キャビネットと外観上の差別化ができ、収納状態にあっても昇降式収納装置であることを使用者に認知させ、収納物の内容を解りやすくすることができる。
【００５６】
また、ラック体前面の化粧パネルに把手を設けた構成にすることにより、ラック体の露出を防いで美観を保ちながら、且つ、ラック体を稼働させるための把手を収納キャビネット外に出すことができるという有利な効果を有するもである。
【図面の簡単な説明】
【図１】本発明の実施例１の昇降式収納装置の外観斜視図
【図２】同昇降式収納装置の要部断面図
【図３】本発明の実施例２の昇降式収納装置の外観斜視図
【図４】本発明の実施例３の昇降式収納装置の外観斜視図
【図５】本発明の実施例４の昇降式収納装置の外観斜視図
【図６】本発明の実施例４の昇降式収納装置の要部断面図
【図７】従来の昇降式収納装置の外観斜視図
【符号の説明】
６  収納キャビネット
７ａ、７ｂ  平行リンク
８ａ、８ｂ  筺体
９  昇降支持装置
１０  ラック体
１１  化粧パネル
１２  把手
１３  扉体
１４ａ、１４ｂ  レール
１５ａ、１５ｂ  スライダー（連動機構）